(57)【要約】      （修正有）【課題】茶会に必要な袱紗・小袱紗・懐紙・扇子・楊枝入れ等を区分けしてワンセットに収納し、且つ必要に応じて和服帯のお太鼓の中に差し込んで携帯できるようにした茶道用小物収納バッグの提供。【解決手段】バッグ本体1を正面部2と底部4と背面部3と頂辺部と蓋部5とを表面布と裏面布で被覆して形成し、その正面部と背面部にクッションシート付きの型紙を設け、且つ当該正背面の型紙の下辺両側に細幅の底部を形成するための繋ぎ片を連結し、且つ背面部の上辺と蓋部の下辺との左右両側の所定の横幅を保持して頂辺部を形成するための繋ぎ片を連結し、前記背面部の左右両側辺に小物を押えるための翼片6を取付け、底部に扇子保持部材7を取付け、且つ正面部の内面に大小のポケット8・9を形成し、蓋部の内面とこれに対峙する正面部表面に止着具12を設けた。【選択図】図１
0003118187.tif 000002
【実用新案登録請求の範囲】
【請求項１】
方形のバッグ本体(1)を正面部(2)と底部(4)と背面部(3)と頂辺部(13)と蓋部(5)とを表面布(10)と裏面布(11)で被覆して形成し、その正面部(2)と背面部(3)にクッションシート(S)付きの型紙(2′)・(3′)を設け、且つ当該正背面の型紙の下辺における左右両側に所定の間隔(w′)を保持して底部(4)を形成するための繋ぎ片（41）を連結し、且つ背面部(3)の上辺と蓋部(5)の下辺との左右両側の所定の間隔(w")を保持して頂辺部(13)を形成するための繋ぎ片(131）を連結し、前記背面部(3)の左右両側辺に沿って小物を押えるための翼片(6)を取付け、底部(4)に扇子保持部材(7)を取付け、且つ正面部の内面に大小のポケット(8)・(9)を形成し、蓋部(5)の内面とこれに対峙する正面部(2)の表面に止着具(12・121)を設けたことを特徴とする茶道用小物収納バッグ。
【請求項２】
繋ぎ片（41）・（131）に和紙を用い、且つ表面布(2)と裏面布(3)のを正絹又は縮み布とすると共に、翼片(6)を裏面布(11)と共布とし、且つ止着具をマグネットホック(12)と、そのマグネットホック受け具(121)にした請求項１記載の茶道用小物収納バッグ。
【考案の詳細な説明】
【技術分野】
【０００１】
本考案は、茶道用小物収納バッグに関するもので、茶道のお点前に必要な袱紗・小袱紗・懐紙・扇子・楊枝入れ・祝儀袋等を区分けしてワンセットに収納し、且つ必要に応じて和服帯のお太鼓の中に差し込んで携帯できるサイズに加工したバッグを売ることを目的とする。
【背景技術】
【０００２】
一般に茶道用具は、茶碗・建水・茶筅等の比較的大きくて嵩張るものと、袱紗・小袱紗・懐紙・楊枝入れ等の広げると面積があっても折畳めばコンパクトにまとまるものとがある。
前者は、信玄袋のような袋物に収容し、また、後者は袋物または風呂敷に包んで携帯することが行われる。
【特許文献１】特開平１１−１７２５１１公報
【特許文献２】実開昭６３−０５４３１６公報
【特許文献３】第３０５００２６号登録実用新案公報
【０００３】
特許文献１にあっては、上辺に開口部(14)が形成されている収納部(12)と、正面側に斜めに開放する開口(22)を有するポケット(24)が設けられている小物入れ(10)において、袱紗(16)・扇子(18)・楊枝(20)の入った楊枝入れ等を収納部(12)に収納し、小袱紗(26)・懐紙(28)をポケット部(24)に収納するようになっている。また、特許文献２及び特許文献３にあっては、茶碗・建水・茶筅等の比較的大きくて嵩張るものを収納する茶道具の携帯袋の考案が提供されている。
【考案の開示】
【考案が解決しようとする課題】
【０００４】
上記の特許文献１の考案にあっては、収納部(12)に入れた袱紗(16)・扇子(18)・楊枝(20)の入った楊枝入れなどの小物は、一緒くたに収納されるから、使用時に取り出したとき、皺になったり、折れ曲がったりして体裁が悪くなる恐れがある。
そして、当該特許文献１の小物入れは、茶道の稽古用のものであり、洋服のベルトなどに係止する構造となっている。そのため、和服着て正式の茶会に出席する場合には適さない。
なお、特許文献２及び特許文献３の考案にあっては、茶碗・建水・茶筅等の比較的嵩張るものに適するが、構造上大きく作られているから、小物だけの収納具には適していない。
【課題を解決するための手段】
【０００５】
そこで、本考案は、従来の課題を解決し、且つ考案の目的を達するために提供するものである。
【０００６】
本考案は、茶道用小物収納バッグにおいて、方形のバッグ本体を正面部と底部と背面部と頂辺部と蓋部とを表面布と裏面布で被覆して形成し、その正面部と背面部にクッションシート付きの型紙を設け、且つ当該正背面の型紙の下辺両側に所定の細幅を保持して底部を形成するための繋ぎ片を連結し、且つ背面部の上辺と蓋部の下辺との左右両側の所定の細幅を保持して頂辺部を形成するための繋ぎ片を連結し、前記背面部の左右両側辺に沿って小物を押えるための翼片を取付け、底部に扇子保持部材を取付け、且つ正面部の内面に大小のポケットを形成し、蓋部の内面とこれに対峙する正面部の表面に止着具を設けたものである。
【０００７】
本考案の第２は、第１の考案に係る茶道用小物収納バッグにおいて、繋ぎ片に和紙を用い、且つ表面布と裏面布を正絹又は縮み布とすると共に、翼片を裏面布と共布とし、且つ止着具をマグネットホックと、そのマグネットホック受け具にしたものである。
【考案の効果】
【０００８】
本考案は上記の構成であるから、次の効果がある。
すなわち、袱紗・小袱紗・懐紙は背面台紙面に置いて左右翼片を当てがい、扇子は底部台紙面の保持部材で保持し、楊枝入れは小ポケットに挿し込み、祝儀袋は大ポケットに差し入れておくことによって、各小物が互いに強く接したりしないで区分けされるから中で偏ったり、はみ出たりすることなく整理良く収納される。
また、正面台紙面を折り畳み、蓋体を閉じて止め具で止着すると、左右側面は折畳まれた翼片によって中身が全く見えることがなく、且つ当該側面からずれ出したりすることがない。
そして、バッグの外面は出張ったりするものがなくほぼ扁平の形状であるから、これを和服の太鼓帯のお太鼓と帯の間に差し込んで携行することができる。これによって手には必要に応じて茶碗・建水・茶筅等の比較的嵩張るものを入れた別の茶道具袋だけを持つことができる。
さらに、バッグ本体の底部及び蓋部の頂辺には底部の型紙や蓋部の型紙を使わないので中身が少ないときは、より薄く扁平に形成することができる。
なお、正面型紙と裏面型紙の下辺における底部の左右両側と、裏面型紙の上辺と蓋型紙の下辺に置ける左右両側にそれぞれ和紙を可とする繋ぎ片を設けたことにより、撓み性に富むと共に、その縁辺が保型されて型崩れすることがない。
【考案を実施するための最良の形態】
【０００９】
本考案を実施するための最良の形態を示すと次にとおりである。
まず、方形を成す正面型紙の下辺と、同じく方形を成す背面型紙の下辺との間に配置した細幅の底面型紙と、背面型紙の上辺近くに配置した蓋用型紙を表面生地と裏面生地を重ね合せると共に両生地を各台紙の外周を囲んで糊着又は縫着してバッグ本体を成形してある。
次に、バッグ本体の背面型紙部位の左右両側辺に裏布地と共布の翼片の基辺を糊着又は縫着してある。
上記の背面型紙と蓋用型紙の間に底部型紙の横幅に相当する間隔が形成されている。
また、背面型紙部位の裏生地に共布を用いて小ポケットと大ポケットが設けられている。
そして、蓋体の上部内側とこれに対峙する正面型紙部の表面にホックボタンとそのボタン受け具、又はマグネットボタンとそのボタン受け具等の止着具を設けてある。
【実施例１】
【００１０】
次に、本考案の実施例を図面に即して説明する。１はバッグ本体、２〜５はバッグ本体を成す主構成部であり、２は正面部、３は背面部、４は底部、５は蓋部であり、薄手のクッションシートＳに正面型紙２′と背面型紙３′を糊着し、繋ぎ部材４1によって細幅の間隔ｗ′を保持して底部４が形成されている。また、背面型紙３′の上辺には蓋部５の下辺が繋ぎ部材１３1によって細幅の間隔ｗ"を保持して頂辺部１３が形成されている。
【００１１】
前記の各型紙２′・３′・５′の外面となる面には、薄手のクッションシートＳを糊着して一体化してある（図５）。なお、前記のバッグ本体１の正面と背面となる型紙２′・３′は、高さＨ１７ｍｍ、横幅１９ｍｍに設定してある。また、底部の横幅間隔ｗ′と頂辺１３の横幅間隔ｗ"は１５〜１８ｍｍに設定してある。
【００１２】
６は背面型紙３′の内側における左右両側辺に設けた翼片であり、裏面布と共布を可とする２枚重ねの布地で、ほぼ横向き台形を形成し、その基辺を当該背面型紙に左右両側辺に沿って縫着又は糊着又は縫着して取付けてある。当該左右一対の翼片は内側に折畳んだときに対峙する翼片の先端縦縁辺がわずかに間隔をあける長さに設定してあるが、重なり合う長さにすることも可能である。
７は底部台紙４の中央部に設けた扇子保持部材、８は正面型紙の内側に設けた大ポケット、９は小ポケットであり、両ポケットを裏面布と共布で製してある。
【００１３】
１０及び１１は正面部の型紙２′、背面部の型紙３′、蓋部の型紙５′を被覆してバッグ本体１を成形した表面布と裏面布であり、その材料は、縮緬又は正絹を用いるものとする。１２は蓋部５の内面に設けたマグネットホック、１３は正面部２の表面に設けたマグネットホックの受け具、１３は背面部３の上辺と蓋部５の下辺との間に形成した細幅ｗ"の頂辺部であり、その両型紙の左右両側を間隔保持部材１３1で連結してある。
【００１４】
１４は袱紗、１５は小袱紗、１６は懐紙であり、背面台紙部に収納するようにしてある。１７は小形の扇子、１８は祝儀又は会費もしくは月謝等の収納袋、１９は楊枝を入れた細長い楊枝ケースである。
【００１５】
「具体的製作例(1)」
本考案の具体的製作例(1)を説明する。
(1)  正面型紙２、背面型紙３、蓋部型紙５の順に、その外面になる面をクッションシートＳに配置して糊着する。この場合、正面部型紙２′と背面部型紙３′を繋ぐ繋ぎ部材４1によって細幅の間隔ｗ′が形成され、また、背面部型紙３′と蓋部型紙５′を繋ぐ繋ぎ部材１３1によって細幅の間隔ｗ"が保持されている。
(2)  クッションシートＳ側に表面に正絹又は縮みなど好みの装飾布１０を、また各型紙の裏面側に黒色その他任意の色の裏面布を重ね合わせる。
(3)  蓋部５の内面にマグネットホック１２をクッションシートＳの内側になるようにして取付け、且つ、これに対面する正面部２の表面にマグネットホック受け具１２1を取付ける。
(4)  上記(3)の背面部３の左右両側辺部位に沿って略台形の翼片６の基辺部を糊着又は縫着しておく。
(5)   また、同じく正面部２の内面に裏面布１１と共布を可とする布で大ポケット８と小ポケット９を成形する。
(6)  上記(4)の表裏面の布１０・１１で各型紙を被覆してその周辺を糊着又は縫着してバッグ本体１を成形する。
【００１６】
「具体的製作例(2)」
次に、本考案の具体的製作例(2)を説明する。
(1)  正面部型紙２′、背面部型紙３′、蓋部型紙５′の順に、その外面になる面をクッションシートＳに配置して糊着する。この場合、背面部型紙３′と蓋部型紙５′を繋ぐ繋ぎ部材１３1によって細幅の間隔ｗ"が保持されている。
(2)〜(6)の製作工程は、「具体的製作例(1)」の(2)〜(6)の製作工程と同じである。
【００１７】
「バッグへの収納例」
上記の工程によって製作したバッグに茶道用小物を収納する例を示す。四つ折に畳んだ袱紗１４・小袱紗１５・懐紙１６は背面型紙の内面に配置すると共に、左右の翼片６を内側に折畳むことによって収納した前記小物類は左右方向から逸脱する恐れがなくなる。また、扇子（図示例は小形のもの）１７は底部４の長さに沿って、扇子保持部材７に挿通して保持させる。祝儀袋１８や会費袋・月謝袋等は大ポケット８に横向きにして差し入れる。名刺やメモ片１９や楊枝を入れた細長い楊枝ケース２０は、小ポケット９に差し込んでおくものとする。
【産業上の利用可能性】
【００１８】
本考案に係るバッグは、茶道用小物収納に用いるほか、バッグ全体が正絹又は縮みで被覆されているので、和装によく似合い、和服で出かける場合のハンドバッグとしても使用が可能である。
【図面の簡単な説明】
【００１９】
【図１】本考案に係る茶道用小物収納バッグの使用状態を示す半展開した内面の斜視図である。
【図２】本考案に係る茶道用小物収納バッグを展開した内面側の正面図である。
【図３】図２の状態から蓋のみを開いた状態の斜視図である。
【図４】図３の状態から蓋を閉じた状態の斜視図である。
【図５】クッションシート体にバッグ本体を形成する型紙を配置した平面図である。
【図６】本考案に係るバッグを帯のお太鼓の中側に納めた状態の斜視図である。
【符号の説明】
【００２０】
１…バッグ本体
２…正面部
３…背面部
４…底部
５…蓋部
６…左右の翼片
７…扇子保持具
８…大ポケット
９…小ポケット
１０…表面布
１１…裏面布
１２…マグネットホック
１２1…マグネットホック受け具
１３…頂辺部
【図１】
0003118187.tif 000003
【図２】
0003118187.tif 000004
【図３】
0003118187.tif 000005
【図４】
0003118187.tif 000006
【図５】
0003118187.tif 000007
【図６】
0003118187.tif 000008